(57)【要約】【課題】撮影方法の如何に拘わらず、書籍のページめくりの動画像に基づいて、書籍の各ページの静止画のみを速やかに再生する。【解決手段】先読み処理部(３)によって、メイン処理部(２)からの指示に従って、外部から入力される書籍のページめくりの動画データを上記メイン処理部(２)に先立って読み込んで再生する先読み処理を行って、上記書籍におけるめくられた各ページの画像データを取得して保存し、メイン処理部(２)によって、ユーザーによる操作を受け付けて、上記ユーザーから書籍閲覧の要求があると、上記先読み処理部(３)に上記先読み処理の指示を行い、上記ユーザーから次ページの閲覧の要求があると、対応するめくられたページの画像データの送出の指示を上記先読み処理部(３)に対して行うと共に、上記先読み処理部(３)から送出されてくる画像データに基づいて上記対応するページの静止画像を表示する。【選択図】図１
2014140120.tif 000002
【特許請求の範囲】
【請求項１】
メイン処理部と先読み処理部とを備え、
上記先読み処理部は、上記メイン処理部からの指示に従って、外部から入力される書籍のページめくりの動画データを上記メイン処理部に先立って読み込んで再生する先読み処理を行って、上記書籍におけるめくられた各ページの画像データを取得して保存し、
上記メイン処理部は、ユーザーによる操作を受け付けて、上記ユーザーから書籍閲覧の要求があると、上記先読み処理部に上記先読み処理の指示を行い、上記ユーザーから次ページの閲覧の要求があると、対応するめくられたページの画像データの送出の指示を上記先読み処理部に対して行うと共に、上記先読み処理部から送出されてくる画像データに基づいて上記対応するページの静止画像を表示する
ことを特徴とする動画再生装置。
【請求項２】
請求項１に記載の動画再生装置において、
上記先読み処理部による上記先読み処理,上記書籍におけるめくられた各ページの画像データの取得および上記取得した各ページの画像データの送出は、上記メイン処理部による上記次ページの画像データの送出の指示および上記次ページの静止画像の表示と平行して行う
ことを特徴とする動画再生装置。
【請求項３】
請求項１あるいは請求項２に記載の動画再生装置において、
上記先読み処理部は、
外部から入力される書籍のページめくりの動画データを取得して供給する動画データ供給部と、
上記動画データ供給部から供給されてくる動画データの再生を行う動画再生部と、
上記動画再生部によって再生された画像データ基づいて、上記書籍のページの切り替わり箇所を検出するページ切替検出部と、
上記ページ切替検出部によって検出されたページの切り替わり箇所を含むめくられた１ページ分の画像データを追加格納する画像データ格納部と、
上記メイン処理部からの指示に従って、上記動画再生部,上記ページ切替検出部および上記画像データ格納部を制御して、上記先読み処理を行うと共に、上記めくられた１ページ分の画像データの上記メイン処理部への送出を行う先読み制御部と
を備えている
ことを特徴とする動画再生装置。
【請求項４】
請求項１から請求項３までの何れか一つに記載の動画再生装置において、
上記メイン処理部は、
ユーザーによる操作を受け付けて、上記ユーザーからの書籍閲覧および上記次ページの閲覧の要求を出力する操作部と、
上記操作部からの次ページの閲覧の要求の出力に呼応して、上記先読み処理部から送出されてくる画像データに基づいて上記対応するめくられたページの静止画像を表示する表示部と、
上記操作部から書籍閲覧の要求が入力されると、上記先読み処理部に先読み処理の指示を行う一方、上記操作部から次ページの閲覧の要求が入力されると、上記先読み処理部に上記保存している対応するめくられたページの画像データの送出の指示を行うと共に、上記表示部を制御して上記対応するめくられたページの静止画像の表示を行わせる操作制御部と
を備えている
ことを特徴とする動画再生装置。
【請求項５】
ユーザーによる操作を受け付ける操作部から書籍閲覧の要求が入力されると、操作制御部によって、先読み制御部に、外部から入力される書籍のページめくりの動画データを上記操作制御部に先立って読み込んで再生する先読み処理の指示を行う先読処理指示ステップと、
動画データ供給部によって、外部から入力される書籍のページめくりの動画データを取得して供給する動画データ供給ステップと、
上記先読み制御部の制御の下に、動画再生部によって、上記動画データ供給部から供給されてくる動画データの再生を行う動画データ再生ステップと、
上記先読み制御部の制御の下に、ページ切替検出部によって、上記動画再生部で再生された画像データ基づいて、上記書籍のページの切り替わり箇所を検出するページ切り替わり検出ステップと、
上記先読み制御部によって、上記ページ切替検出部によって検出されたページの切り替わり箇所を含むめくられた１ページ分の画像データを、画像データ格納部に格納する画像データ格納ステップと、
上記操作部から次ページの閲覧の要求が入力されると、上記操作制御部によって、上記先読み制御部に、上記画像データ格納部に格納されている対応するめくられたページの画像データの送出の指示を行う画像データ送出指示ステップと、
上記先読み制御部によって、上記画像データ格納部に格納されている上記対応するめくられたページの画像データを読み出して上記操作制御部に送出するページ画像データ送出ステップと、
上記操作制御部の制御の下に、表示部によって、上記先読み制御部から送出されてくる画像データに基づいて上記対応するめくられたページの静止画像を表示するページ画像表示ステップと
を備え、
上記動画データ再生ステップ,上記ページ切り替わり検出ステップ,上記画像データ格納ステップおよび上記ページ画像データ送出ステップと、上記画像データ送出指示ステップおよび上記ページ画像表示ステップとは、平行して実行される
ことを特徴とする動画再生方法。
【発明の詳細な説明】
【技術分野】
【０００１】
この発明は、書籍のページをめくりながら撮影された動画像を再生する動画再生装置および動画再生方法に関する。
【背景技術】
【０００２】
近年、携帯電話や携帯情報端末(ＰＤＡ: Personal Digital Assistant)等の携帯機器においては、付加されている撮影機器の解像度が著しく向上している。そのため、書籍の文字等を撮影した場合でも撮影画像の視認性は十分であり、書籍のページをめくりながら撮影された動画像を再生して書籍の代わりに持ち歩くことが可能になってきている。
【０００３】
このような書籍のページをめくりながら撮影することが可能な機器として、特開２０１２‐６５２６１号公報(特許文献１)に開示された撮影機器がある。この撮影機器においては、開いた書物の一方の側の前小口を一方の手で掴み、上記一方の頁の前小口側端辺(以下、頁端辺と言う)を上記一方の手の親指で押さえ、他方の頁を下方にぶら下げる。そして、頁端辺を押さえている親指をずらすことによって上記一方の頁を重力によってめくりながら、他方の手に持った上記撮影機器であるカメラで、順次切り替わる上記他方の頁を撮影する。
【０００４】
すなわち、上記カメラの制御部は、切り替わる上記他方の頁の動画像を仮記録部に記録する。そして、上記制御部の水平ライン追尾部によって、仮記録部に記録された動画像に基づいて、頁端辺の水平ラインが安定した(下降が停止した)場合の画像が所定時間継続する場合に、その画像(静止画像)を記録部に記録する。こうして、各頁の静止画像を順次上記記録部に記録する。
【０００５】
そして、再生時には、上記記録部に記録された各頁の静止画像を順次読み出して、表示部に表示・再生を行うようにしている。
【０００６】
このように、上記従来の撮影機器においては、頁をめくりながら撮影された動画像のうち、頁と頁との間のめくり動作の動画は再生されない。したがって、閲覧時に必要のないめくりの動画を見る必要がない。また、その間、次頁が表示されるまで待つ必要がない。
【０００７】
しかしながら、上記従来の撮影機器においては、以下のような問題がある。すなわち、上述したように、撮影時には、開いた書物の一方の側の前小口を一方の手で掴んで書物全体をぶら下げる必要がある。したがって、撮影可能な書物は、比較的軽い雑誌や冊子やパンフレット等に限定されてしまう。
【０００８】
さらに、手で掴んだ方である上記一方の頁端辺を手の親指で押さえて他方の頁を下方にぶら下げ、頁端辺を押さえている親指をずらすことによって上記一方の頁をめくるのであるが、指の湿り具合や指に掛かる負荷の変動等により、順に確実に１ページ毎に頁をめくるのが困難である。その場合には、頁めくりの祭に飛んでしまった頁は上記記録部に記録されておらず、再生時には再生されることがない。したがって、撮影時には頁が飛ばないように注意を払い、頁が飛んでしまった場合にはその頁まで戻って撮影をし直す必要があり、書物の撮影が簡単ではないという問題がある。
【先行技術文献】
【特許文献】
【０００９】
【特許文献１】特開２０１２‐６５２６１号公報
【発明の概要】
【発明が解決しようとする課題】
【００１０】
そこで、この発明の課題は、撮影方法の如何に拘わらず、書籍のページをめくりながら撮影された動画像に基づいて、各ページの静止画のみを速やかに再生することができる動画再生装置および動画再生方法を提供することにある。
【課題を解決するための手段】
【００１１】
上記課題を解決するため、この発明の動画再生装置は、
メイン処理部と先読み処理部とを備え、
上記先読み処理部は、上記メイン処理部からの指示に従って、外部から入力される書籍のページめくりの動画データを上記メイン処理部に先立って読み込んで再生する先読み処理を行って、上記書籍におけるめくられた各ページの画像データを取得して保存し、
上記メイン処理部は、ユーザーによる操作を受け付けて、上記ユーザーから書籍閲覧の要求があると、上記先読み処理部に上記先読み処理の指示を行い、上記ユーザーから次ページの閲覧の要求があると、対応するめくられたページの画像データの送出の指示を上記先読み処理部に対して行うと共に、上記先読み処理部から送出されてくる画像データに基づいて上記対応するページの静止画像を表示する
ことを特徴としている。
【００１２】
また、この発明の動画再生方法は、
ユーザーによる操作を受け付ける操作部から書籍閲覧の要求が入力されると、操作制御部によって、先読み制御部に、外部から入力される書籍のページめくりの動画データを上記操作制御部に先立って読み込んで再生する先読み処理の指示を行う先読処理指示ステップと、
動画データ供給部によって、外部から入力される書籍のページめくりの動画データを取得して供給する動画データ供給ステップと、
上記先読み制御部の制御の下に、動画再生部によって、上記動画データ供給部から供給されてくる動画データの再生を行う動画データ再生ステップと、
上記先読み制御部の制御の下に、ページ切替検出部によって、上記動画再生部で再生された画像データ基づいて、上記書籍のページの切り替わり箇所を検出するページ切り替わり検出ステップと、
上記先読み制御部によって、上記ページ切替検出部によって検出されたページの切り替わり箇所を含むめくられた１ページ分の画像データを、画像データ格納部に格納する画像データ格納ステップと、
上記操作部から次ページの閲覧の要求が入力されると、上記操作制御部によって、上記先読み制御部に、上記画像データ格納部に格納されている対応するめくられたページの画像データの送出の指示を行う画像データ送出指示ステップと、
上記先読み制御部によって、上記画像データ格納部に格納されている上記対応するめくられたページの画像データを読み出して上記操作制御部に送出するページ画像データ送出ステップと、
上記操作制御部の制御の下に、表示部によって、上記先読み制御部から送出されてくる画像データに基づいて上記対応するめくられたページの静止画像を表示するページ画像表示ステップと
を備え、
上記動画データ再生ステップ,上記ページ切り替わり検出ステップ,上記画像データ格納ステップおよびページ画像データ送出ステップと、上記画像データ送出指示ステップおよび上記ページ画像表示ステップとは、平行して実行される
ことを特徴としている。
【発明の効果】
【００１３】
以上より明らかなように、この発明の動画再生装置は、メイン処理部と先読み処理部とで構成している。そして、上記先読み処理部は、上記メイン処理部からの指示により、書籍のページめくりの動画データの先読み処理を行ってめくられた各ページの画像データを取得して保存し、上記メイン処理部は、ユーザーから書籍閲覧の要求があると、上記先読み処理部に上記先読み処理の指示を行う一方、次ページの閲覧の要求があると、上記先読み処理部に、対応するページの画像データの送出の指示を行うと共に、送出されてくる画像データに基づいて上記対応するページの静止画像を表示するようにしている。したがって、上記メイン処理部は、上記ユーザーから要求があった上記めくられたページの静止画像のみを表示することができる。そのため、ページとページとの間のめくり動作の動画は表示されず、閲覧時に不必要なめくりの動画を見る必要がない。また、その間、次ペーが表示されるまで待つ必要もない。
【００１４】
さらに、「書籍のページめくり」の動画データを先読みして上記めくられた各ページの画像データを取得するので、書籍のページをめくりながら撮影する場合の撮影方法の如何に拘わらず、各ページの静止画像のみを表示することができる。
【００１５】
さらに、上記先読み処理部による上記先読み処理,上記書籍におけるめくられた各ページの画像データの取得および取得した各ページの画像データの送出は、上記メイン処理部による上記次ページの画像データの送出の指示および上記次ページの静止画像の表示と平行して行うことができる。したがって、上記メイン処理部は、次ページの画像データの送出指示を行ってから、上記先読み処理部が上記ページの画像データを取得するのを待つ必要が無く、各ページの表示を速やかに行うことができる。
【００１６】
また、この発明の動画再生方法によれば、上述した動画再生装置の場合と同様の効果を奏することができる。
【図面の簡単な説明】
【００１７】
【図１】この発明の動画再生装置における機能ブロック図である。
【図２】操作制御部の下に実行される動画再生処理動作のフローチャートである。
【図３】フレーム間で色情報に変化があった画素数の経時変化を示す図である。
【図４】図２の動画再生処理動作による表示部の表示内容の変遷を示す図である。
【発明を実施するための形態】
【００１８】
以下、この発明を図示の実施の形態により詳細に説明する。図１は、本実施の形態の動画再生装置における機能的構成を示す機能ブロック図である。図１において、本動画再生装置１は、大きく分けて上記メイン処理部としてのメイン処理ブロック２と上記先読み処理部としての先読み処理ブロック３との２つのブロックから構成されている。
【００１９】
上記メイン処理ブロック２は、先読み処理ブロック３を制御して、書籍のページめくりの動画像に対してこの動画像をメイン処理ブロック２に先立って読み込んで再生する先読み処理を行わせて、めくられた各ページの画像を取得して保存させる。そして、メイン処理ブロック２は、ユーザーからの要求に応じて、先読み処理ブロック３に保存されているめくられた各ページの画像を順次受け取って静止画像として表示する。
【００２０】
尚、各ページの画像(画像データ)には、めくり中のページとめくられたページとの２種類のページの画像(画像データ)がある。以下においては、上記両者を区別することの煩雑さを避けるために、「ページ」と言う場合には「めくられたページ」のことを指すことにする。
【００２１】
上記メイン処理ブロック２は、操作部４,操作制御部５および表示部６を含んでいる。
【００２２】
上記操作部４は、ユーザーによる操作を受け付けて、上記ユーザーからの書籍閲覧や次ページの閲覧等の要求を操作制御部５に出力する。操作制御部５は、先読み処理ブロック３の先読み制御部７に先読み処理の指示を行う。さらに、操作部４からの要求に従って、先読み制御部７からの先読み処理の結果である各ページの静止画像を順次受け取って表示部６に表示させる。表示部６は、操作制御部５の制御の下に、先読み処理ブロック３で得られた各ページの静止画像を順次表示する。
【００２３】
尚、上記操作部４は、例えば操作キーやソフトウェアキー(以下、ソフトキーと言う)等で成る。また、上記表示部６は、例えば液晶表示装置や有機ＥＬ(ElectroLuminescence：エレクトロルミネッセンス)等で成る。
【００２４】
上記先読み処理ブロック３は、先読み制御部７,動画再生部８,動画データ供給部９,ページ切替検出部１０および画像データ格納部１１を含んでいる。
【００２５】
上記先読み制御部７は、メイン処理ブロック２の操作制御部５からの指示を受けて各部を制御して先読み処理を行う。そして、先読み処理の結果得られる上記各ページの静止画像を、操作制御部５からの指示に従って順次操作制御部５に送出する。
【００２６】
上記動画再生部８は、上記動画データ供給部９から供給されてくる動画データの再生を行う。そして、再生された画像データを先読み制御部７に送出する。動画データ供給部９は、記録媒体や外部機器等から入力される書籍のページめくりの動画データを取得して動画再生部８に供給する。尚、動画データ供給部９は、例えばメモリカード等の記録媒体のソケット等の接続端子や、上記ＰＤＡ等の外部機器からの動画像の動画データを受信する通信インターフェースで成る。
【００２７】
上記ページ切替検出部１０は、先読み制御部７から送出されてくる動画像の画像データに基づいて、書籍のページの切り替わり箇所を検出する。そして、ページが切り替わった(めくられた)ことを表すページ切替り信号を先読み制御部７に出力する。そうすると、先読み制御部７は、ページの切り替わり箇所を含む１ページ分の画像データを画像データ格納部１１に格納する。
【００２８】
尚、上記操作制御部５,先読み制御部７,動画再生部８およびページ切替検出部１０は、ＣＰＵ(中央演算処理装置)によって構成されている。また、画像データ格納部１１は、例えばＲＡＭ(ランダム・アクセス・メモリ)によって構成されている。
【００２９】
上記構成を有する動画再生装置は、以下のように動作して書籍のページめくりの動画を再生する。図２は、上記操作制御部５の制御の下に実行される動画再生処理動作のフローチャートである。但し、図２(a)は、操作制御部５の制御の下に実行されるメイン処理動作のフローチャートである。また、図２(b)は、操作制御部５の指示に従って、先読み制御部７の制御の下に実行される先読み処理動作のフローチャートである。
【００３０】
図２(a)において、ステップＳ1で、上記操作部４から書籍閲覧の要求があるか否かが判別される。その結果、書籍閲覧の要求があればステップＳ2に進む。ステップＳ2で、先読み処理ブロック３の先読み制御部７に対して、上記先読み処理の開始が指示される。ステップＳ3で、上記先読み処理の開始に伴って、先読み制御部７から送出されてくる１ページ目の画像データを受け取り、この画像データに基づく１ページ目の静止画像を表示部６に表示させる。
【００３１】
ステップＳ4で、上記操作部４から次ページの閲覧の要求があるか否かが判別される。その結果、次ページの閲覧の要求があればステップＳ5に進む。ステップＳ5で、先読み制御部７に対して、次ページの画像データの送出が指示される。
【００３２】
ステップＳ6で、上記先読み制御部７から、次ページの画像データが送出されてきたか否かが判別される。その結果、送出されてくればステップＳ7に進む。ステップＳ7で、先読み制御部７から受け取った次ページの画像データに基づく次ページの静止画像を、表示部６に表示させる。
【００３３】
ステップＳ8で、上記ステップＳ7で表示されたページは最終ページであるか否かが判別される。その結果、最終ページでなければ上記ステップＳ4にリターンして、次ページの閲覧要求を待つ。一方、最終ページであればメイン処理動作を終了する。
【００３４】
次に、上記先読み処理動作について説明する。
【００３５】
図２(b)において、図２(a)に示す先読み処理動作の上記ステップＳ2において上記先読み処理の開始が指示されると、先読み制御部７の制御による上記先読み処理動作がスタートする。
【００３６】
ステップＳ11で、上記動画再生部８によって、動画データ供給部９から供給されてくる動画データがフレーム等の予め設定された単位長さの動画データ(以下、単位動画データと言う)毎に再生され、生成された画像データが先読み制御部７に送出される。そうすると、先読み制御部７は、受け取った画像データを、上記ＲＡＭで構成されるワークメモリ(図示せず)等に一時的に格納する。ステップＳ12で、先読み制御部７からページ切替検出部１０へ上記画像データが送出される。そして、ページ切替検出部１０によって、先読み制御部７からの上記画像データに基づいて書籍のページの切り替わり箇所が検出され、上記先読み制御部７に対して上記ページ切替り信号が出力される。
【００３７】
ステップＳ13で、上記ページ切替検出部１０からの上記ページ切替り信号に基づいて、ページ切り替わり箇所が検出されたか否かが判別される。その結果、検出されればステップＳ14に進み、検出されなければ上記ステップＳ11にリターンして次の単位動画データの処理に移行する。ステップＳ14で、上記ステップＳ13において検出されたページ切り替わり箇所は、最初のページ切り替わり箇所であるか否かが判別される。その結果、最初のページ切り替わり箇所であればステップＳ15に進む。一方、最初のページ切り替わり箇所でなければステップＳ16に進む。
【００３８】
ステップＳ15で、上記ページ切り替わり箇所が検出された上記画像データを含む１ページ目の静止画像を表示するのに必要な上記画像データが、操作制御部５に送出される。ステップＳ16で、上記ページ切り替わり箇所が検出された上記画像データを含む次ページの静止画像を表示するのに必要な上記画像データが、ページ番号と対応付けられて画像データ格納部１１に格納される。
【００３９】
ステップＳ1７で、上記操作制御部５から、次ページの画像データの送出指示があるか否かが判別される。その結果、指示があればステップＳ18に進み、指示がなければステップＳ19に進む。
【００４０】
ステップＳ18で、上記次ページの表示に必要な上記画像データが画像データ格納部１１から読み出され、操作制御部５に送出される。ステップＳ19で、上記ステップＳ16において画像データ格納部１１に格納されされた画像データは、最終の上記単位動画データに基づく画像データ(つまり、最終の画像データ)であるか否かが判別される。その結果、上記最終の画像データでなければ、上記ステップＳ11にリターンして次の単位動画データの処理に移行する一方、上記最終の画像データであれば先読み処理動作を終了する。
【００４１】
ここで、上記ページ切替検出部１０によって行われる上記「ページの切り替わり箇所の検出」の具体的方法については、特に限定されるものではない。例えば、以下のような方法がある。
【００４２】
図３は、上記動画データ供給部９から供給されてくる動画データの１フレームと次の１フレームとの間において、色情報に変化がある画素数の経時変化を示す。書籍の複数のページをめくりながら撮影する場合には、ページをめくった後に、次ページの文字が鮮明に見えるように少し時間をおいてから次のページがめくられる。したがって、図３に示すように、上記色情報に変化がある画素数は、時間と共に略正弦波状に増減を繰り返す。すなわち、上記画素数が大きい場合にはページめくり中の動画データであり、上記画素数が小さい場合には次ページに切り替わった(めくられた)状態の動画データであることを示している。したがって、ページの切り替わりを検出するための画素数閾値Ｓを基準として、上記画素数が画素数閾値Ｓよりも大きい時間帯である区間Ａと、画素数閾値Ｓ以下の時間帯である区間Ｂとが、時間の経過と共に交互に出現する。
【００４３】
そこで、上記画素数が画素数閾値Ｓ以下になって上記区間Ａから上記区間Ｂに切り替わり、且つ上記区間Ｂに切り替わってから画素数閾値Ｓ以下の状態が一定時間継続した場合に、「ページの切り替わり箇所」として検出するのである。
【００４４】
図４は、図２に示す動画再生処理動作による表示部６の表示内容の変遷を示す。以下、図４および図２に従って、上記動画再生処理動作を具体的に説明する。
【００４５】
先ず、図２(a)に示すメイン処理動作がスタートすると、図４(a)に示すような初期画面が表示部６に表示される。この初期画面では、下側に、上記ソフトキーで成る操作部４としての「開始ボタン１５」が表示されている。
【００４６】
ユーザーが、マウスやキーボード等によって開始ボタン１５を操作すると、図２(a)のステップＳ1によって書籍閲覧の要求があったと判別され、ステップＳ2によって先読み制御部７に上記先読み処理の開始が指示される。こうして、上記先読み処理動作がスタートする。
【００４７】
そして、上記ステップＳ3によって、図４(b)に示すように、先読み制御部７から受け取った１ページ目の画像データに基づく１ページ目の静止画像１６が表示される。この１ページ目の静止画像１６の下側には、上記ソフトキーで成る操作部４としての次ページの閲覧を要求するための「矢印ボタン１７」が表示されている。ユーザーが、矢印ボタン１７を操作すると、図２(a)のステップＳ4によって次ページ閲覧の要求があったと判別され、ステップＳ5によって先読み制御部７に次ページの画像データの送出が指示される。そして、ステップＳ6,Ｓ7によって、図４(c)に示すように、先読み制御部７から受け取った２ページ目の画像データに基づく２ページ目の静止画像１８が表示される。
【００４８】
この２ページ目の静止画像１６の下側には、上記矢印ボタン１７が表示されている。そして、ユーザーが矢印ボタン１７を操作すると、上述と同様にして３ページ目以降の各ページの静止画像が順次表示されるのである。
【００４９】
以上のごとく、本実施形態においては、上記動画再生装置１は、操作部４,操作制御部５および表示部６を含むメイン処理ブロック２と、先読み制御部７,動画再生部８,動画データ供給部９,ページ切替検出部１０および画像データ格納部１１を含む先読み処理ブロック３とを、備えている。
【００５０】
そして、上記操作制御部５の指示に従って、先読み制御部７の制御の下に先読み処理動作を実行する。すなわち、動画再生部８によって、動画データ供給部９からの「書籍のページめくり」の動画データを上記単位動画データ毎に再生する。そして、ページ切替検出部１０によって、再生後の画像データに基づいてページの切り替わり箇所を検出する。先読み制御部７は、ページ切り替わり信号に従って、再生された画像データが１ページ目の画像データであれば操作制御部５に送出し、２ページ目以降の画像データであれば画像データ格納部１１に追加格納する。
【００５１】
上記操作制御部５は、先読み制御部７からの１ページ目の画像データに基づいて１ページ目の静止画像を表示部６に表示させる。さらに、ユーザーからの要求に応じて先読み制御部７によって画像データ格納部１１から読み出されて順次送出されてくる２ページ目以降の画像データに基づいて、操作制御部５は、２ページ目以降の静止画像を表示部６に順次表示させるようにしている。
【００５２】
したがって、本動画再生装置１によれば、上記先読み処理ブロック３による上記先読み処理の結果、画像データ格納部１１に格納された各ページのみに関する画像データに基づいて、各ページの静止画像を表示部６に表示させることができる。その結果、ページとページとの間のめくり動作の動画は表示されず、閲覧時に不必要なめくりの動画を見る必要がない。また、その間、次ページが表示されるまで待つ必要もない。
【００５３】
さらに、上記先読み処理ブロック３によって「書籍のページめくり」の動画データを先読みして、１ページの静止画像を表示するのに必要な分の上記画像データを取得するようにしている。したがって、書籍のページをめくりながら撮影する場合の撮影の方法の如何に関わらず、各ページの静止画像を表示することができる。
【００５４】
さらに、本動画再生装置１をメイン処理ブロック２と先読み処理ブロック３との２つのブロックで構成している。そして、上記先読み処理ブロック３による上記先読み処理,各ページの画像データの取得および取得した各ページの画像データの送出は、上記メイン処理ブロック２による次ページの画像データの送出の指示および上記次ページの静止画像の表示と平行して行うようにしている。したがって、メイン処理ブロック２によって２ページ目以降の画像データが要求される際には、既に、対応するページの表示に必要な画像データが画像データ格納部１１に格納されている。そのために、メイン処理ブロック２は、要求するページの表示に必要な画像データが得られるのを待つ必要が無く、各ページの表示を速やかに行うことができるのである。
【００５５】
尚、本実施の形態においては、上記先読み処理ブロック３の動画再生部８での上記動画データの再生単位である上記「単位動画データ」を、「フレーム」としている。しかしながら、この発明は、上記フレームに限定されるものではない。例えば、ページめくりの速度に応じて設定された単位時間長の動画データ等であっても差し支えない。
【００５６】
また、本実施の形態においては、上記ページ切替検出部１０で検出された最初のページ切り替わり箇所に基づく１ページ目の静止画像は、ユーザーからの閲覧要求の有無に拘わらず表示するようにしているが、ユーザーから閲覧要求があってから表示するようにしても一向に差し支えない。
【００５７】
さらに、この発明の動画再生方法は、上記実施の形態において説明した動画再生装置の動作と同じであり、上記実施の形態において説明した動画再生装置による効果と同じ効果を奏することができる。
【００５８】
上述したように、この発明の動画再生装置は、
メイン処理部２と先読み処理部３とを備え、
上記先読み処理部３は、上記メイン処理部２からの指示にしたがって、外部から入力される書籍のページめくりの動画データを上記メイン処理部２に先立って読み込んで再生する先読み処理を行って、上記書籍におけるめくられた各ページの画像データを取得して保存し、
上記メイン処理部２は、ユーザーによる操作を受け付けて、上記ユーザーから書籍閲覧の要求があると、上記先読み処理部３に上記先読み処理の指示を行い、上記ユーザーから次ページの閲覧の要求があると、対応するめくられたページの画像データの送出の指示を上記先読み処理部３に対して行うと共に、上記先読み処理部３から送出されてくる画像データに基づいて上記対応するページの静止画像を表示する
ことを特徴としている。
【００５９】
上記構成によれば、上記メイン処理部２は、ユーザーから次ページの閲覧の要求があると、対応するページの画像データの送出指示に呼応して、上記先読み処理３から送出されてくる画像データに基づいて上記対応するページの静止画像を表示するので、上記メイン処理部２は、上記ユーザーから要求があったページの静止画像のみを表示することができる。したがって、ページとページとの間のめくり動作の動画は表示されず、上記ユーザーは閲覧時に不必要なめくりの動画を見る必要がない。また、その間、次ペーが表示されるまで待つ必要もない。
【００６０】
さらに、上記先読み処理部３によって「書籍のページめくり」の動画データを先読みして上記めくられた各ページの画像データを取得するので、書籍のページをめくりながら撮影する場合の撮影方法の如何に拘わらず、各ページの静止画像のみを表示することができる。
【００６１】
さらに、上記先読み処理部３による上記先読み処理,めくられた各ページの画像データの取得および取得した各ページの画像データの送出は、メイン処理部２による次ページの画像データの送出の指示および上記次ページの静止画像の表示と平行して行うことが可能である。したがって、上記メイン処理部２は、次ページの画像データの送出指示を行ってから、上記先読み処理部３が上記ページの画像データを取得するのを待つ必要が無く、各ページの表示を速やかに行うことが可能となる。
【００６２】
また、一実施の形態の動画再生装置では、
上記先読み処理部３による上記先読み処理,上記書籍におけるめくられた各ページの画像データの取得および上記取得した各ページの画像データの送出は、上記メイン処理部２による上記次ページの画像データの送出の指示および上記次ページの静止画像の表示と平行して行う。
【００６３】
この実施の形態によれば、上記メイン処理部２は、次ページの画像データの送出指示を行ってから、上記先読み処理部３が上記ページの画像データを取得するのを待つ必要が無く、各ページの表示を速やかに行うことができる。
【００６４】
また、一実施の形態の動画再生装置では、
上記先読み処理部３は、
外部から入力される書籍のページめくりの動画データを取得して供給する動画データ供給部９と、
上記動画データ供給部９から供給されてくる動画データの再生を行う動画再生部８と、
上記動画再生部８によって再生された画像データ基づいて、上記書籍のページの切り替わり箇所を検出するページ切替検出部１０と、
上記ページ切替検出部１０によって検出されたページの切り替わり箇所を含むめくられた１ページ分の画像データを追加格納する画像データ格納部１１と、
上記メイン処理部２からの指示に従って、上記動画再生部８,上記ページ切替検出部１０および上記画像データ格納部１１を制御して、上記先読み処理を行うと共に、上記めくられた１ページ分の画像データの上記メイン処理部２への送出を行う先読み制御部７と
を備えている。
【００６５】
この実施の形態によれば、上記先読み処理部３の先読み制御部７によって、メイン処理部２からの指示に従って、上記動画再生部８,上記ページ切替検出部１０および上記画像データ格納部１１を制御して、上記先読み処理を行うと共に、上記めくられた１ページ分の画像データの上記メイン処理部への送出を行うので、上記先読み処理部３による上記先読み処理,上記書籍におけるめくられた各ページの画像データの取得および上記取得した各ページの画像データの送出を、機能的に実行することが可能になる。
【００６６】
また、一実施の形態の動画再生装置では、
上記メイン処理部２は、
ユーザーによる操作を受け付けて、上記ユーザーからの書籍閲覧および上記次ページの閲覧の要求を出力する操作部４と、
上記操作部４からの次ページの閲覧の要求の出力に呼応して、上記先読み処理部３から送出されてくる画像データに基づいて上記対応するめくられたページの静止画像を表示する表示部６と、
上記操作部４から書籍閲覧の要求が入力されると、上記先読み処理部３に先読み処理の指示を行う一方、上記操作部４から次ページの閲覧の要求が入力されると、上記先読み処理部３に上記保存している対応するめくられたページの画像データの送出の指示を行うと共に、上記表示部６を制御して上記対応するめくられたページの静止画像の表示を行わせる操作制御部５と
を備えている。
【００６７】
この実施の形態によれば、上記メイン処理部２の操作制御部５によって、操作部４から書籍閲覧の要求が入力されると、上記先読み処理部３に先読み処理の指示を行う一方、上記操作部４から次ページの閲覧の要求が入力されると、上記先読み処理部３に上記保存している対応するめくられたページの画像データの送出の指示を行うと共に、表示部６を制御して上記対応するめくられたページの静止画像の表示を行わせるので、上記操作制御部５による次ページの画像データの送出の指示および上記次ページの静止画像の表示を、機能的に実行することが可能になる。
【００６８】
また、この発明の動画再生方法は、
ユーザーによる操作を受け付ける操作部４から書籍閲覧の要求が入力されると、操作制御部５によって、先読み制御部７に、外部から入力される書籍のページめくりの動画データを上記操作制御部５に先立って読み込んで再生する先読み処理の指示を行う先読処理指示ステップと、
動画データ供給部９によって、外部から入力される書籍のページめくりの動画データを取得して供給する動画データ供給ステップと、
上記先読み制御部７の制御の下に、動画再生部８によって、上記動画データ供給部９から供給されてくる動画データの再生を行う動画データ再生ステップと、
上記先読み制御部７の制御の下に、ページ切替検出部１０によって、上記動画再生部８で再生された画像データ基づいて、上記書籍のページの切り替わり箇所を検出するページ切り替わり検出ステップと、
上記先読み制御部７によって、上記ページ切替検出部１０によって検出されたページの切り替わり箇所を含むめくられた１ページ分の画像データを、画像データ格納部１１に格納する画像データ格納ステップと、
上記操作部４から次ページの閲覧の要求が入力されると、上記操作制御部５によって、上記先読み制御部７に、上記画像データ格納部１１に格納されている対応するめくられたページの画像データの送出の指示を行う画像データ送出指示ステップと、
上記先読み制御部７によって、上記画像データ格納部１１に格納されている上記対応するめくられたページの画像データを読み出して上記操作制御部５に送出するページ画像データ送出ステップと、
上記操作制御部５の制御の下に、表示部６によって、上記先読み制御部７から送出されてくる画像データに基づいて上記対応するめくられたページの静止画像を表示するページ画像表示ステップと
を備え、
上記動画データ再生ステップ,上記ページ切り替わり検出ステップ,上記画像データ格納ステップおよび上記ページ画像データ送出ステップと、上記画像データ送出指示ステップおよび上記ページ画像表示ステップとは、平行して実行される
ことを特徴としている。
【００６９】
上記構成によれば、上述した動画再生装置の場合と同様の効果を奏することができる。
【符号の説明】
【００７０】
１…動画再生装置、
２…メイン処理ブロック、
３…先読み処理ブロック、
４…操作部、
５…操作制御部、
６…表示部、
７…先読み制御部、
８…動画再生部、
９…動画データ供給部、
１０…ページ切替検出部、
１１…画像データ格納部、
１５…開始ボタン、
１６…１ページ目の静止画像、
１７…矢印ボタン、
１８…２ページ目の静止画像。
【図１】
2014140120.tif 000003
【図２】
2014140120.tif 000004
【図３】
2014140120.tif 000005
【図４】
2014140120.tif 000006